(57)【要約】 【課題】  ＡＣ型プラズマディスプレイパネルの駆動における放電異常の発生を抑圧する。【解決手段】  ＡＣ型プラズマディスプレイパネル１０の駆動におけるアドレス期間中に走査パルスが遅れて印加される走査電極Ｓ（ｉ＋１）と対になる維持電極Ｃ（ｉ＋１）に、書込みが行われない表示セルに放電を生じさせない電圧と書込みが行われる表示セルの放電を失敗させない電圧との間の電圧であって、かつ、走査パルスが早めに印加される走査電極Ｓｉと対になる維持電極Ｃｉに印加される維持電圧より高い維持電圧を印加する。【選択図】  図１
2005115009.tif 000002
【特許請求の範囲】
【請求項１】
走査電極と維持電極とからなる電極対が互いに平行に複数配設された第１の基板と、前記電極対と互いに直交するデータ電極が互いに平行に複数配設された第２の基板とを有し、前記電極対と前記データ電極の交差点が画素たる放電セルを構成するプラズマディスプレイパネルにおいて、前記複数の電極対を線順次でアドレスし、アドレスされた前記電極対の前記放電セルに書込み放電を発生させ、該書込み放電を維持放電により持続させるプラズマディスプレイパネルの駆動方法であって、
前記電極対毎に応じて、又は予め区分けされた複数の電極対グループに応じて異なる電圧値をもつ電圧パルスを当該電極対に印加して前記書込み放電を生じさせることを特徴とするプラズマディスプレイパネルの駆動方法。
【請求項２】
前記電圧パルスの前記電圧値は、前記アドレスの順序が進むにつれて漸次又は段階的に増加する構成にされていることを特徴とする請求項１記載のプラズマディスプレイパネルの駆動方法。
【請求項３】
前記電圧パルスは、アドレスされていない前記電極対の前記放電セルでは誤放電を発生させず、かつ、アドレスされた前記電極対の前記放電セルでの前記書込み放電を確実に発生させるのに必要な電位差を前記電極対間に生じさせるものであることを特徴とする請求項１又は２記載のプラズマディスプレイパネルの駆動方法。
【請求項４】
前記電位差と前記電極対のアドレスとは、前記アドレスの早い順番から遅い順番へ進むにつれて前記電位差が漸増し、かつ、前記電位差の増分が漸減してほぼ一定値となる関係にあり、該関係の下で設定された所定のアドレスでの前記電位差が、該所定のアドレス以降の他のアドレスでの前記電位差から所定の値だけ低下する前のアドレスで、設定された前記電位差を前記他のアドレスでの電位差に設定変更することを特徴とする請求項３記載のプラズマディスプレイパネルの駆動方法。
【請求項５】
アドレスされた前記電極対間の電位差は、アドレスされていない前記電極対の前記放電セルでは誤放電を発生させない第1の電圧と該第1の電圧より低くアドレスされた前記電極対の前記放電セルでの前記書込み放電を確実に発生させる第2の電圧との間の電圧の維持パルスを、アドレスされる前記電極対の維持電極に印加することによって与えられることを特徴とする請求項３又は４記載のプラズマディスプレイパネルの駆動方法。
【請求項６】
前記第1の電圧及び前記第2の電圧は、前記放電セルの構成要素に従って異なる値になることを特徴とする請求項５記載のプラズマディスプレイパネルの駆動方法。
【請求項７】
アドレスされる前記電極対の前記維持電極に印加される維持パルスの電圧を前記アドレスの順番に従って高め、かつ、アドレスされる前記電極対の前記走査電極に印加される走査パルスのパルス幅を前記アドレスの順番に従って広げることを特徴とする請求項１乃至６のいずれか一に記載のプラズマディスプレイパネルの駆動方法。
【請求項８】
アドレスされる前記電極対の前記維持電極に印加される維持パルスの電圧を前記アドレスの順番に従って高める順番と、アドレスされる前記電極対の走査電極に印加される前記走査パルスのパルス幅を前記アドレスの順番に従って広げる順番とが同一又は異なることを特徴とする請求項７記載のプラズマディスプレイパネルの駆動方法。
【請求項９】
前記放電セルに前記書込み放電を生じさせる、前記１画面の前記映像信号の各走査線上の各画素信号は、前記１画面を構成する時間である１フレームが分割された複数のサブフィールドの各々のアドレス期間内に線順次で挿入されていることを特徴とする請求項１乃至８のいずれか一に記載のプラズマディスプレイパネルの駆動方法。
【請求項１０】
走査電極と維持電極とからなる電極対が互いに平行に複数配設された第１の基板と、前記電極対と互いに直交するデータ電極が互いに平行に複数配設された第２の基板とを有し、前記電極対と前記データ電極の交差点が画素たる放電セルを構成するプラズマディスプレイパネルと、
前記複数の電極対を線順次でアドレスし、アドレスされた前記電極対の前記放電セルに書込み放電を発生させる書込み手段と、
該書込み手段によって発生された書込み放電を維持放電により持続させる放電異常手段とを備えたプラズマディスプレイパネルの駆動装置であって、
前記書込み手段を、前記電極対毎に応じて、又は予め区分けされた複数の電極対グループに応じて異なる電圧値をもつ電圧パルスを当該電極対に印加して前記書込み放電を生じさせるように構成したことを特徴とするプラズマディスプレイパネルの駆動装置。
【請求項１１】
前記書込み手段によって前記電極対に印加される前記電圧パルスの前記電圧値は、前記アドレスの順序が進むにつれて漸次又は段階的に増加する構成にされていることを特徴とする請求項１０記載のプラズマディスプレイパネルの駆動装置。
【請求項１２】
前記書込み手段によって前記電極対に印加される前記電圧パルスは、アドレスされていない前記電極対の前記放電セルでは誤放電を発生させず、かつ、アドレスされた前記電極対の前記放電セルでの前記書込み放電を確実に発生させるのに必要な電位差を前記電極対間に生じさせるものであることを特徴とする請求項１０又は１１記載のプラズマディスプレイパネルの駆動装置。
【請求項１３】
前記電位差と前記電極対のアドレスとは、前記アドレスの早い順番から遅い順番へ進むにつれて前記電位差が漸増し、かつ、前記電位差の増分が漸減してほぼ一定値となる関係にあり、該関係の下で前記書込み手段によって設定された所定のアドレスでの前記電位差が、該所定のアドレス以降の他のアドレスでの前記電位差から所定の値だけ低下する前のアドレスで、設定された前記電位差を前記他のアドレスでの電位差に設定変更することを特徴とする請求項１２記載のプラズマディスプレイパネルの駆動装置。
【請求項１４】
前記書込み手段によって前記電極対間に設定される電位差は、アドレスされていない前記電極対の前記放電セルでは誤放電を発生させない第1の電圧と該第1の電圧より低くアドレスされた前記電極対の前記放電セルでの前記書込み放電を確実に発生させる第2の電圧との間の電圧の維持パルスを、アドレスされる前記電極対の維持電極に印加することによって与えられることを特徴とする請求項１２又は１３記載のプラズマディスプレイパネルの駆動装置。
【請求項１５】
前記第1の電圧及び前記第2の電圧は、前記放電セルの構成要素に従って異なる値になることを特徴とする請求項１４記載のプラズマディスプレイパネルの駆動装置。
【請求項１６】
前記書込み手段は、アドレスされる前記電極対の前記維持電極に印加される維持パルスの電圧を前記アドレスの順番に従って高める第１の手段と、アドレスされる前記電極対の前記走査電極に印加される走査パルスのパルス幅を前記アドレスの順番に従って広げる第２の手段とを備えて構成されることを特徴とする請求項１０乃至１５のいずれか一に記載のプラズマディスプレイパネルの駆動装置。
【請求項１７】
前記第１の手段によって、アドレスされる前記電極対の前記維持電極に印加される維持パルスの電圧を前記アドレスの順番に従って高める順番と、前記第２の手段によって、アドレスされる前記電極対の走査電極に印加される前記走査パルスのパルス幅を前記アドレスの順番に従って広げる順番とが同一又は異なることを特徴とする請求項１６記載のプラズマディスプレイパネルの駆動装置。
【請求項１８】
前記放電セルに前記書込み放電を生じさせる、前記１画面の前記映像信号の各走査線上の各画素信号は、前記１画面を構成する時間である１フレームが分割された複数のサブフィールドの各々のアドレス期間内に線順次で挿入されていることを特徴とする請求項１０至１７のいずれか一に記載のプラズマディスプレイパネルの駆動装置。
【発明の詳細な説明】
【技術分野】
【０００１】
この発明は、プラズマディスプレイパネルの駆動方法及びその装置に関し、詳しくはサブフィールド内で選択された表示セルに書込み放電を生ぜしめるのに必要な維持パルスの電圧又は維持パルスの電圧及び走査パルスのパルス幅をサブフィールド内で遅れて選択される表示セルほど高く、また広くしたプラズマディスプレイパネルの駆動方法及びその装置に関する。
【背景技術】
【０００２】
ＡＣ型プラズマディスプレイパネルは、薄型構造でちらつきがなく表示コントラスト比が大きいこと、比較的に大画面とすることが可能であること、応答速度が速いこと、自発光型で蛍光体の利用により多色発光も可能であること等多くの特徴を有している。
図１３は、ＡＣ型プラズマディスプレイパネルの表示セルの斜視図である。この表示セルは、所定の間隔を隔てて対向され、いずれもガラスより成る前面絶縁基板１０１及び背面絶縁基板１０２を有して構成されている。
【０００３】
前面絶縁基板１０１には、互いに平行して水平方向に対で形成され、いずれも透明な走査電極１０３及び維持電極１０４と、走査電極１０３及び維持電極１０４と重なるように水平方向に配置され、電極抵抗値を小さくするためのトレース電極１０５，１０６と、すべての走査電極１０３、維持電極１０４及びトレース電極１０５，１０６を一様に覆う誘電膜１０７と、誘電膜１０７を一様に覆う保護膜１０８とで構成されている。
【０００４】
背面絶縁基板１０２には、走査電極１０３及び維持電極１０４と直交し、所定の間隔毎に延設されたデータ電極１０９と、すべてのデータ電極１０９を一様に覆う誘電膜１１０と、誘電膜１１０上であってデータ電極１０９間の中央位置で垂直方向に延設された隔壁１１１と、誘電膜１１０及び隔壁１１１を一様に覆う蛍光体１１２とで構成されている。
【０００５】
上記前面絶縁基板１０１と上記背面絶縁基板１０２とを重ね合わせて合体させることにより、上述の表示セルが形成される。
その合体により、前面絶縁基板１０１と背面絶縁基板１０２との間に隔壁１１１が介在して空間が形成される。この空間は、その中に、ヘリウム、ネオン、キセノン等又はこれらの混合ガスが封入されて放電ガス空間１１３とされる。
したがって、隔壁１１１は、前面絶縁基板１０１と背面絶縁基板１０２との間に放電ガス空間１１３を確保すると共に表示セルを区切る役目を果たしている。
また、蛍光体１１２は、上記放電ガス空間１１３内での放電ガスの放電によって発生する紫外線を可視光線１１４に変換する働きをする。
【０００６】
図１４は、上述構成の表示セルをマトリクス状に配置して成るＡＣ型プラズマディスプレイパネルの各電極の配置を模式的に示したものである。
互いに平行して対で配置された走査電極Ｓｉ（ｉ＝１、２、…、ｍのうちの１つ）（図１３の１０３）及び維持電極Ｃｉ（図１３の１０４）と、これらの電極Ｓｉ、Ｃｉと直交して配置されたデータ電極Ｄｊ（ｊ＝１、２、…、ｎのうちの１つ）との交点毎に１つの表示セル、すなわち、対と成る１本ずつの走査電極Ｓ及び維持電極と１本のデータ電極Ｄとで１つの表示セルが構成される。
したがって、ＡＣ型プラズマディスプレイパネルにｍ本の走査電極及び維持電極の対があり、ｎ本のデータ電極があるとすると、そのＡＣ型プラズマディスプレイパネルには、ｍ×ｎ個の表示セルがある。上記ＡＣ型プラズマディスプレイパネルに映像信号の１フレーム分の画素が書き込まれるときには、各画素は、対応する表示セルに順次書き込まれる。
【０００７】
上記ＡＣ型プラズマディスプレイパネル１１０の駆動装置１１２は、図１５に示すように、走査電極ドライバ１１４、維持電極ドライバ１１６、データドライバ１１８及び駆動コントローラ１２０から概略構成されている。駆動コントローラ１２０は映像処理部１２２に接続され、そこから映像信号を受け取って走査電極ドライバ１１４、維持電極ドライバ１１６及びデータドライバ１１８を駆動するオン／オフ制御信号を生成し、これらのドライバに供給する。
【０００８】
走査電極ドライバ１１４は、図１５（図１６）に示すように、走査パルスドライバ１３１、プライミングドライバ１３２、消去ドライバ１３３、走査ベースドライバ１３４、走査電圧ドライバ１３５及び維持ドライバ１３６から成る。
走査パルスドライバ１３１は、図１６に示すように、並列接続されたスイッチ１４１ｉ及びダイオード１４２ｉと並列接続されたスイッチ１４３ｉ及びダイオード１４４ｉとから成る。スイッチ１４１ｉとダイオード１４２ｉとの一方の接続点はスイッチ１４３ｉとダイオード１４４ｉとの一方の接続点と接続されてＡＣ型プラズマディスプレイパネル１１０の走査電極Ｓｉに接続されている。
【０００９】
プライミングドライバ１３２は、スイッチ１４５のほかプライミングパルスＰｐｒ−ｓ（図１９）の勾配を与える時定数の決定要素、すなわち、抵抗（該抵抗と並列に容量性素子が接続されることもある）（図示せず）で構成され、スイッチ１４５の一方の端子は電圧源１４６に接続され、その他方の端子は、スイッチ１４３ｉとダイオード１４４ｉとの他方の接続点Ｃ２に接続されている。
【００１０】
消去ドライバ１３３は、スイッチ１４７のほかプライミングパルスＰｐｅ−ｓ及び電荷調整パルスＰｓｅ−ｓ（図１９）の勾配を与える時定数の決定要素、すなわち、抵抗（該抵抗と並列に容量性素子が接続されることもある）（図示せず）で構成され、スイッチ１４７の一方の端子は大地電位に接続され、スイッチ１４１ｉとダイオード１４２ｉとの他方の接続点Ｃ１に接続されている。
【００１１】
走査ベースドライバ１３４は、スイッチ１４８を有し、スイッチ１４８の一方の端子は電圧源１４９に接続される一方、他方の端子は、接続点Ｃ１に接続されている。電圧源１４９の電圧は、走査パルスの振幅に等しい値Ｖｂである。
走査電圧ドライバ１３５は、スイッチ１５０を有し、スイッチ１５０の一方の端子は大地電位ＧＮＤに接続される一方、他方の端子は、接続点Ｃ２に接続されている。
【００１２】
維持ドライバ１３６は、スイッチ１５１及びスイッチ１５２を有し、スイッチ１５１の一方の端子は電圧源１５３に接続され、スイッチ１５２の一方の端子は大地電位に接続されている。また、スイッチ１５１の他方の端子は、接続点Ｃ２に接続され、スイッチ１５２の他方の端子は、接続点Ｃ１に接続されている。電圧源１５３の電圧は、維持パルスの振幅に等しい値Ｖｓである。
【００１３】
維持電極ドライバ１１６は、図１７に示すように、副走査ドライバ１３７及び維持ドライバ１３８から成る。
副走査ドライバ１３７は、スイッチ１５５を有し、スイッチ１５５の一方の端子は電圧源１５６に接続され、スイッチ１５５の他方の端子はＡＣ型プラズマディスプレイパネル１１０の維持電極Ｃｉの各々に接続されている。
維持ドライバ１３８は、スイッチ１５７及びスイッチ１５８を有し、スイッチ１５７の一方の端子は電圧源１５９に接続され、スイッチ１５８の一方の端子は大地電位に接続されている。電圧源１５９の電圧は維持パルスの振幅に等しい値Ｖｓである。スイッチ１５７の他方の端子とスイッチ１５８の他方の端子とは接続されてＡＣ型プラズマディスプレイパネル１１０の維持電極Ｃｉの各々に接続されている。
【００１４】
データドライバ１１８は、図１８に示すように、並列接続されたスイッチ１６１ｊ及びダイオード１６２ｊと並列接続されたスイッチ１６３ｊ及びダイオード１６４ｊとから成る。スイッチ１６１ｊとダイオード１６２ｊとの一方の接続点はスイッチ１６３ｊとダイオード１６４ｊとの一方の接続点と接続されて前記接続点対応のＡＣ型プラズマディスプレイパネル１１０のデータ電極Ｄｊに接続されている。スイッチ１６１ｊとダイオード１６２ｊとの他方の接続点Ｃ３は、電圧源１６６に接続され、スイッチ１６３ｊとダイオード１６４ｊとの他方の接続点Ｃ４は、大地電位に接続されている。電圧源１６６の電圧は、データパルスＰｄの振幅に等しい値Ｖｄである。
【００１５】
駆動コントローラ１２０は、プライミング期間中、維持ドライバ１３６のスイッチ１５１及びスイッチ１５２、プライミングドライバ１３２のスイッチ１４５、消去ドライバ１３３のスイッチ１４７並びに維持電極ドライバ１１６の維持ドライバ１３８のスイッチ１５７及びスイッチ１５８に次のようなオン／オフ制御パルスを供給する。
すなわち、プライミングパルスＰｐｒ−ｓ（図１９）が走査電極Ｓｉの各々に供給される前第１の所定期間（図１９のＴ１からＴ２までの期間）、維持ドライバ１３６のスイッチ１５１のオンを継続させ、上記第１の所定期間の終了時刻にスイッチ１５１をオフさせるオン／オフ制御パルスをスイッチ１５１に供給し、走査電極Ｓｉの各々に印加されるプライミングパルスＰｐｒ−ｓの印加期間（図１９のＴ２からＴ３までの期間）、抵抗（該抵抗に並列に容量性素子が接続されることもある）（図示せず）を介してスイッチ１４５をオンさせ、該印加期間以外の期間スイッチ１４５をオフさせるオン／オフ制御パルスをスイッチ１４５に供給する。
【００１６】
また、上記印加期間の終了時刻から第２の所定時間（図１９のＴ３からＴ４までの期間）、スイッチ１５１をオンさせ、該第２の所定時間の終了時刻にスイッチ１５１をオフさせるオン／オフ制御パルスをスイッチ１５１に供給し、上記第２の所定時間の終了時刻（図１９のＴ４）から走査電極Ｓｉの各々に印加される電荷調整パルスＰｐｅ−ｓの印加期間の終了時刻（図１９のＴ５）まで消去ドライバ１３３のスイッチ１４７をオンさせ、電荷調整パルスＰｐｅ−ｓの終了時刻にスイッチ１４７をオフさせるオン／オフ制御パルスをスイッチ１４７に供給し、電荷調整パルスＰｐｅ−ｓの終了時刻（図１９のＴ５）からプライミング期間の終了時刻（図１９のＴ６）まで（第３の所定時間）スイッチ１５１をオンさせ、プライミング期間の終了時刻にスイッチ１５１をオフさせるオン／オフ制御パルスをスイッチ１５１に供給する。
【００１７】
また、プライミング期間中のスイッチ１５１、スイッチ１４５及びスイッチ１４７へのオン／オフ制御パルスの供給制御と同時的に、維持電極ドライバ１１６の維持ドライバ１３８のスイッチ１５７を前回のサブフィールドの電荷消去期間の終了に引き続いてプライミング期間の上記第１の所定期間の終了時刻までオンさせ、該終了時刻にオフさせるオン／オフ制御パルスをスイッチ１５７に供給し、上記第１の所定時間の終了時刻から上記第２の所定時間の開始時刻までスイッチ１５８をオンさせ、上記第２の所定時間の終了時刻にスイッチ１５８をオフさせるオン／オフ制御パルスをスイッチ１５８に供給し、上記第２の所定時間の開始時刻からプライミング期間の終了時刻までスイッチ１５７をオンさせ、プライミング期間の終了時刻にスイッチ１５７をオフさせるオン／オフ制御パルスをスイッチ１５７に供給する。
【００１８】
また、駆動コントローラ１２０は、アドレス期間中、走査パルスドライバ１３１のスイッチ１４１ｉ及びスイッチ１４３ｉ、走査ベースドライバ１３４のスイッチ１４８、走査電圧ドライバ１３５のスイッチ１５０並びに維持電極ドライバ１１６の副走査ドライバ１３７のスイッチ１５５に次のようなオン／オフ制御パルスを供給する。
【００１９】
すなわち、走査パルスＰｓｃ−ｓｉ（図１９ではＰｓｃ−ｓ１、Ｐｓｃ−ｓｍのみを示す）を走査電極Ｓｉに印加させる印加期間以外の期間スイッチ１４１ｉをオンさせ、該印加期間スイッチ１４１ｉをオフさせるオン／オフ制御パルスをスイッチ１４１ｉに供給し、上記印加期間スイッチ１４３ｉをオンさせ、上記印加期間以外の期間スイッチ１４３ｉをオフさせるオン／オフ制御パルスをスイッチ１４３ｉに供給する。
このスイッチ１４１ｉ及びスイッチ１４３ｉのオン／オフが生ぜしめられるアドレス期間、スイッチ１４８及びスイッチ１５０をオンさせ、アドレス期間以外の期間スイッチ１４８及びスイッチ１５０をオフさせるオン／オフ制御パルスをスイッチ１４８及びスイッチ１５０に供給する。
これら走査電極側のスイッチのオン／オフ制御と並行して、維持電極ドライバ１１６のスイッチ１５５をアドレス期間の開始時刻にオンさせ、アドレス期間の終了時刻にオフさせるオン／オフ制御パルスをスイッチ１５５に供給する。
【００２０】
また、駆動コントローラ１２０は、維持期間中、走査電極ドライバ１１４の維持ドライバ１３６のスイッチ１５１及びスイッチ１５２並びに維持電極ドライバ１１３の維持ドライバ１３８のスイッチ１５７及びスイッチ１５８に次のようなオン／オフ制御パルスを供給する。
維持期間の開始時刻（図１９のＴ７）から維持期間の終了時刻（図１９のＴ８）まで、所定時間毎に、スイッチ１５１及びスイッチ１５２のオン／オフを交互に切り換えるオン／オフ制御パルスをスイッチ１５１及びスイッチ１５２に供給すると同時に、スイッチ１５７及びスイッチ１５８のオン／オフを交互に切り換えるオン／オフ制御パルスをスイッチ１５７及びスイッチ１５８に供給する。上記所定時間のうちのスイッチ１５１、１５２のオン／オフによって与えられる最初の所定時間は、正極性の維持パルスの時間であり、スイッチ１５７、１５８のオン／オフによって与えられる最初の所定時間は、負極性の維持パルスの時間である。ここでの所定時間の回数は奇数回である。
【００２１】
また、駆動コントローラ１２０は、電荷消去期間の維持消去パルスＰｓｅ−ｓの印加期間中（図１９のＴ８からＴ９までの期間）、消去ドライバ１３３のスイッチ１４７をオンさせ、該印加期間の終了時刻にスイッチ１４７をオフさせるオン／オフ制御パルスをスイッチ１４７に供給し、上記印加期間の終了時刻に維持ドライバ１３６のスイッチ１５１をオンさせ、次回のプライミング期間の第１の所定時間の終了時刻にスイッチ１５１をオフさせるオン／オフ制御パルスをスイッチ１５１に供給すると共に、電荷消去期間の開始時刻（図１９のＴ８）から次回のプライミング期間の第１の所定時間の終了時刻（図１９のＴ２）まで維持ドライバ１３８のスイッチ１５８をオンさせ、上記第１の所定時間の終了時刻にスイッチ１５８をオフさせるオン／オフ制御パルスをスイッチ１５８に供給する。
【００２２】
また、駆動コントローラ１２０は、アドレス期間の走査電極Ｓｉに走査パルスＰｓｃ―ｓｉが印加されている期間の間に、走査電極Ｓｉに対応する映像信号の走査ライン中の各画素対応に、当該画素があればスイッチ１６１ｊをオフさせると同時に、スイッチ１６３ｊをオンさせるオン／オフ制御パルスをスイッチ１６１ｊ及びスイッチ１６３ｊに供給し、上記画素がなければスイッチ１６１ｊをオンさせたままにすると同時に、スイッチ１６３ｊをオフさせたままにするオン／オフ制御パルスをスイッチ１６１ｊ及びスイッチ１６３ｊに供給する。
【００２３】
斯かる構成になるＡＣ型プラズマディスプレイパネル１１０の書込み選択型駆動動作を図１９を参照して説明する。
この形式の駆動動作は、映像信号を構成する１フレームを複数のサブフィールドに変換してそのサブフィールド毎にＡＣ型プラズマディスプレイパネル１１０を駆動する。
１つのサブフィールドは、プライミング期間、アドレス期間、維持期間及び消去期間の４つの期間で構成されており、そのアドレス期間内に上記１フレーム分の画素の各々はＡＣ型プラズマディスプレイパネル１１０の画素対応の表示セルに書き込まれる。
【００２４】
今回のサブフィールドのプライミング期間の第1の所定時間の終了時刻（図１９のＴ２）に、プライミングドライバ１３２のスイッチ１４５が駆動コントローラ１２０によってオンされて走査パルスドライバ１３１のダイオード１４４ｉを経て各走査電極ＳｉにプライミングパルスＰｐｒ−ｓが一斉に印加されると同時に、維持ドライバ１３８のスイッチ１５８が駆動コントローラ１２０によってオンされて各維持電極ＣｉにプライミングパルスＰｐｒ−ｃが一斉に印加され（図１９の（１−１）乃至（１−ｍ）、（２−ｉ））、放電が対と成る走査電極と維持電極間に発生される。この放電により、また、各走査電極とこれと対になる維持電極の電極間ギャップ近傍の放電空間にプライミング放電が発生される。
かくして、各表示セルがアドレスされたときに生ぜしめられる書込み放電の発生をし易くする活性粒子の生成が行われると同時に、各走査電極に負極性の壁電荷が、また、各維持電極に正極性の壁電荷が付着される。
【００２５】
上記プライミングパルスＰｐｒ−ｓ及びプライミングパルスＰｐｒ−ｃの印加に続いて、消去ドライバ１３３のスイッチ１４７が駆動コントローラ１２０によってオンされて走査パルスドライバ１３１のダイオード１４２ｉを経て各走査電極Ｓｉに電荷蓄積パルスＰｐｅ−ｓが印加されると同時に、維持ドライバ１３８のスイッチ１５７が駆動コントローラ１２０によってオンされて各維持電極Ｃｉに維持電圧Ｖｓが印加されて弱放電が発生されて各走査電極Ｓｉ上の負極性壁電荷及び各維持電極Ｃｉ上の正極性壁電荷が減少させられる。
【００２６】
このようにして各走査電極Ｓｉ上の負極性壁電荷及び各維持電極Ｃｉ上の正極性壁電荷が付着された状態で、アドレス期間に入ると、その開始時刻（図１９のＴ６）から終了時刻（図１９のＴ７）まで副走査ドライバ１３７のスイッチ１５５のオンが駆動コントローラ１２０によって継続されて各維持電極Ｃｉに印加される維持電圧は予め選定された一定値の維持電圧Ｖｓｃ−ｃ（図１９の（２−ｉ））が供給される。
【００２７】
各維持電極に維持電圧Ｖｓｃ−ｃが供給された状態において、アドレス期間中走査ベースドライバ１３４のスイッチ１４８及び走査電圧ドライバ１３５のスイッチ１５０が駆動コントローラ１２０によってオンされる一方、スイッチ１４３１、１４３２、…、１４３ｍが、対応する走査パルス期間の間、駆動コントローラ１２０によって順次オンされると共に、これらのスイッチ１４３１、１４３２、…、１４３ｍがオンされている走査パルス期間以外の期間の間、スイッチ１４１１、１４１２、…、１４１ｍが、対応する駆動コントローラ１２０によってオンされる。
したがって、第１番目の走査電極から第ｍ番目の走査電極まで順次負極性の走査パルスが印加される（図１９の（１−１）乃至（１−ｍ））。
【００２８】
このようにして走査電極Ｓｉが順次印加されて行くときに、その印加された走査電極Ｓｉにおいて書き込まれるべき画素、すなわち、映像信号の走査線上の画素があると、該画素対応のデータ電極に正極性のデータパルスＰｄがデータドライバ１１８のスイッチ１６１ｉがオンされ、スイッチ１６３ｉがオフされることにより印加される（図１９の（３））。
これにより、上記画素対応の表示セルが選択（アドレス）されて該選択された表示セルのみに書込み放電が発生され、この書込み放電により上記選択された表示セルの走査電極に正極性の壁電荷が、該表示セルのデータ電極に負極性の壁電荷が付着される。これと同時に、上記選択された表示セルの維持電極にも負極性の壁電荷が付着される。
選択されなかった表示セルの走査電極及び維持電極には、それぞれ上記弱放電が発生されたときの負極性壁電荷及び正極性壁電荷が保持されるが、選択された表示セルのそれらに比して非常に少ない。
【００２９】
上記アドレス期間が経過して維持期間が開始されると、各走査電極及び各維持電極毎に、維持期間の開始時刻から所定時間（一定周期の維持パルスの前半期間）の間、走査側電極ドライバ１１４の維持ドライバ１３６のスイッチ１５１が駆動コントローラ１２０によってオンされると同時にスイッチ１５２がオフされ、走査パルスドライバ１３１のダイオード１４２ｉを経て正極性の維持パルスＰｓｕｓ−ｓが各走査電極Ｓｉに印加され、維持ドライバ１３８のスイッチ１５８が駆動コントローラ１２０によってオンされると同時にスイッチ１５７がオフされ、負極性の維持パルスＰｓｕｓ−ｃが各維持電極Ｃｉに印加される。
【００３０】
次の所定時間（一定周期の維持パルスの後半期間）には、走査電極ドライバ１１４の維持ドライバ１３６のスイッチ１５１が駆動コントローラ１２０によってオフされると同時にスイッチ１５２がオンされ、走査パルスドライバ１３１のダイオード１４２ｉを経て負極性の維持パルスＰｓｕｓ−ｓが各走査電極Ｓｉに印加され、維持ドライバ１３８のスイッチ１５７が駆動コントローラ１２０によってオンされると同時にスイッチ１５８がオフされ、正極性の維持パルスＰｓｕｓ−ｃが各維持電極Ｃｉに印加される。これらの印加が以降の後続する所定時間毎に繰り返される。
【００３１】
繰り返される正極性又は負極性の維持パルスＰｓｕｓ−ｓの走査電極への印加と、負極性又は正極性の維持パルスＰｓｕｓ−ｃの維持電極への印加とが選択されなかった表示セルに行われても、上述のようにその表示セルの走査電極及び維持電極に付着されている壁電荷は非常に少ないので、維持放電は発生しない。
これに対して、選択された表示セルでは、正極性又は負極性の維持パルスＰｓｕｓ−ｓの走査電極への印加と、負極性又は正極性の維持パルスＰｓｕｓ−ｃの維持電極への印加とが繰り返される毎に、印加される維持パルスの電圧に壁電荷電圧が重畳されて放電開始電圧を超えるので、走査電極と維持電極との間に放電が発生し、走査電極と維持電極との壁電荷の極性が順次反転する。
【００３２】
例えば、最初の正極性の維持パルスＰｓｕｓ−ｓの走査電極への印加と、負極性の維持パルスＰｓｕｓ−ｃの維持電極への印加とにより、走査電極に付着されていた正極性の壁電荷は負極性の壁電荷となり、維持電極に付着されていた負極性の壁電荷は正極性の壁電荷となる。次の負極性の維持パルスＰｓｕｓ−ｓの走査電極への印加と、正極性の維持パルスＰｓｕｓ−ｃの維持電極への印加とにより、走査電極に付着されていた負極性の壁電荷は正極性の壁電荷となり、維持電極に付着されていた正極性の壁電荷は負極性の壁電荷となる。以降同様にして、走査電極の壁電荷の極性と維持電極の壁電荷の極性とは交互に反転する。
このようにして放電が繰り返されて発光している表示セルの輝度は、上記放電の繰り返し回数で決定される。
【００３３】
維持期間が経過して電荷消去期間に入ると、消去ドライバ１３３のスイッチ１４７が駆動コントローラ１２０によってオンされて走査パルスドライバ１３１のダイオード１４２ｉを経て負極性の維持消去パルスＰｓｅ−ｓが各走査電極Ｓｉに印加され、そして維持ドライバ１３６のスイッチ１５７が駆動コントローラ１２０によってオンされて電圧Ｖｓが各維持電極Ｃｉに印加される。
これにより、維持期間で発光していた表示セルの走査電極及び維持電極の壁電荷は消去され、ＡＣ型プラズマディスプレイパネル１１０の全表示セルの状態は均一化される。
【００３４】
特開平８−３２０６８８号公報には、プライミング放電の終了時刻からの経過時間が長い放電セルほど書込み放電電圧の印加時間を長くする技術が記載されている。
また、特開２００１−１３９１５号公報には、走査電極と維持電極とが互いに平行して配置され、走査電極及び維持電極と直交してアドレス電極が配置されたＡＣ型プラズマディスプレイパネルにおける偶数番目の走査ラインの書込み時の走査電極及びアドレス電極の電位に対する維持電極の電位を奇数番目の走査ラインの書込み時の走査電極及びアドレス電極の電位に対する維持電極の電位よりも高くする技術が記載されている。
【特許文献１】特開平８−３２０６８８号公報
【特許文献２】特開２００１−１３９１５号公報
【発明の開示】
【発明が解決しようとする課題】
【００３５】
上記従来技術は、走査電極と維持電極とが互いに平行して対で配置され、走査電極及び維持電極と直交してデータ電極が配置されたＡＣ型プラズマディスプレイパネルの駆動において、アドレス期間中に維持電極に印加される維持電圧は、走査電極及びデータ電極に印加される電圧との関係で設定される電圧で、書込みが行われない非選択セルでは放電を生じさせず、また、書込みが行われる選択セルでは放電を失敗させない一定の電圧とされていた。
この一定の電圧では、選択セルにおいて首尾よい放電をさせ得ず、また、非選択セルにおいて放電を生じさせてしまう技術的課題が上記従来技術には内在することが判った。
【００３６】
特開２００１−１３９１５号公報は、偶数番目の走査ラインの書込み時の走査電極及びアドレス電極の電位に対する維持電極の電位を奇数番目の走査ラインの書込み時の走査電極及びアドレス電極の電位に対する維持電極の電位よりも高くすることを記載しているに過ぎず、上記技術的課題をなお残している。
また、特開平８−３２０６８８号公報は、プライミング放電の終了時刻からの経過時間が長い放電セルほど書込み放電電圧の印加時間を長くすることを記載しているに過ぎない。
【００３７】
この発明は、上述の事情に鑑みてなされたもので、プラズマディスプレイパネルの駆動マージンを大きくし得るプラズマディスプレイパネルの駆動方法及びその装置を提供することを目的としている。
【課題を解決するための手段】
【００３８】
上記課題を解決するために、請求項１記載の発明は、走査電極と維持電極とからなる電極対が互いに平行に複数配設された第１の基板と、上記電極対と互いに直交するデータ電極が互いに平行に複数配設された第２の基板とを有し、上記電極対と上記データ電極の交差点が画素たる放電セルを構成するプラズマディスプレイパネルにおいて、上記複数の電極対を線順次でアドレスし、アドレスされた上記電極対の上記放電セルに書込み放電を発生させ、該書込み放電を維持放電により持続させるプラズマディスプレイパネルの駆動方法に係り、上記電極対毎に応じて、又は予め区分けされた複数の電極対グループに応じて異なる電圧値をもつ電圧パルスを当該電極対に印加して上記書込み放電を生じさせることを特徴としている。
【００３９】
請求項２記載の発明は、請求項１記載のプラズマディスプレイパネルの駆動方法に係り、上記電圧パルスの上記電圧値は、上記アドレスの順序が進むにつれて漸次又は段階的に増加する構成にされていることを特徴としている。
【００４０】
請求項３記載の発明は、請求項１又は２記載のプラズマディスプレイパネルの駆動方法に係り、上記電圧パルスは、アドレスされていない上記電極対の上記放電セルでは誤放電を発生させず、かつ、アドレスされた上記電極対の上記放電セルでの上記書込み放電を確実に発生させるのに必要な電位差を上記電極対間に生じさせるものであることを特徴としている。
【００４１】
請求項４記載の発明は、請求項３記載のプラズマディスプレイパネルの駆動方法に係り、上記電位差と上記電極対のアドレスとは、上記アドレスの早い順番から遅い順番へ進むにつれて上記電位差が漸増し、かつ、上記電位差の増分が漸減してほぼ一定値となる関係にあり、該関係の下で設定された所定のアドレスでの上記電位差が、該所定のアドレス以降の他のアドレスでの上記電位差から所定の値だけ低下する前のアドレスで、設定された上記電位差を上記他のアドレスでの電位差に設定変更することを特徴としている。
【００４２】
請求項５記載の発明は、請求項３又は４記載のプラズマディスプレイパネルの駆動方法に係り、アドレスされた上記電極対間の電位差は、アドレスされていない上記電極対の上記放電セルでは誤放電を発生させない第1の電圧と該第1の電圧より低くアドレスされた上記電極対の上記放電セルでの上記書込み放電を確実に発生させる第2の電圧との間の電圧の維持パルスを、アドレスされる上記電極対の維持電極に印加することによって与えられることを特徴としている。
【００４３】
請求項６記載の発明は、請求項５記載のプラズマディスプレイパネルの駆動方法に係り、上記第1の電圧及び上記第2の電圧は、上記放電セルの構成要素に従って異なる値になることを特徴としている。
【００４４】
請求項７記載の発明は、請求項１乃至６のいずれか一に記載のプラズマディスプレイパネルの駆動方法に係り、アドレスされる上記電極対の上記維持電極に印加される維持パルスの電圧を上記アドレスの順番に従って高め、かつ、アドレスされる上記電極対の上記走査電極に印加される走査パルスのパルス幅を上記アドレスの順番に従って広げることを特徴としている。
【００４５】
請求項８記載の発明は、請求項７記載のプラズマディスプレイパネルの駆動方法に係り、アドレスされる上記電極対の上記維持電極に印加される維持パルスの電圧を上記アドレスの順番に従って高める順番と、アドレスされる上記電極対の走査電極に印加される上記走査パルスのパルス幅を上記アドレスの順番に従って広げる順番とが同一又は異なることを特徴としている。
【００４６】
請求項９記載の発明は、請求項１乃至８のいずれか一に記載のプラズマディスプレイパネルの駆動方法に係り、上記放電セルに上記書込み放電を生じさせる、上記１画面の上記映像信号の各走査線上の各画素信号は、上記１画面を構成する時間である１フレームが分割された複数のサブフィールドの各々のアドレス期間内に線順次で挿入されていることを特徴としている。
【００４７】
請求項１０記載の発明は、走査電極と維持電極とからなる電極対が互いに平行に複数配設された第１の基板と、上記電極対と互いに直交するデータ電極が互いに平行に複数配設された第２の基板とを有し、上記電極対と上記データ電極の交差点が画素たる放電セルを構成するプラズマディスプレイパネルと、上記複数の電極対を線順次でアドレスし、アドレスされた上記電極対の上記放電セルに書込み放電を発生させる書込み手段と、該書込み手段によって発生された書込み放電を維持放電により持続させる放電異常手段とを備えたプラズマディスプレイパネルの駆動装置に係り、上記書込み手段を、上記電極対毎に応じて、又は予め区分けされた複数の電極対グループに応じて異なる電圧値をもつ電圧パルスを当該電極対に印加して上記書込み放電を生じさせるように構成したことを特徴としている。
【００４８】
請求項１１記載の発明は、請求項１０記載のプラズマディスプレイパネルの駆動装置に係り、上記書込み手段によって上記電極対に印加される上記電圧パルスの上記電圧値は、上記アドレスの順序が進むにつれて漸次又は段階的に増加する構成にされていることを特徴としている。
【００４９】
請求項１２記載の発明は、請求項１０又は１１記載のプラズマディスプレイパネルの駆動装置に係り、上記書込み手段によって上記電極対に印加される上記電圧パルスは、アドレスされていない上記電極対の上記放電セルでは誤放電を発生させず、かつ、アドレスされた上記電極対の上記放電セルでの上記書込み放電を確実に発生させるのに必要な電位差を上記電極対間に生じさせるものであることを特徴としている。
【００５０】
請求項１３記載の発明は、請求項１２記載のプラズマディスプレイパネルの駆動装置に係り、上記電位差と上記電極対のアドレスとは、上記アドレスの早い順番から遅い順番へ進むにつれて上記電位差が漸増し、かつ、上記電位差の増分が漸減してほぼ一定値となる関係にあり、該関係の下で上記書込み手段によって設定された所定のアドレスでの上記電位差が、該所定のアドレス以降の他のアドレスでの上記電位差から所定の値だけ低下する前のアドレスで、設定された上記電位差を上記他のアドレスでの電位差に設定変更することを特徴としている。
【００５１】
請求項１４記載の発明は、請求項１２又は１３記載のプラズマディスプレイパネルの駆動装置に係り、上記書込み手段によって上記電極対間に設定される電位差は、アドレスされていない上記電極対の上記放電セルでは誤放電を発生させない第1の電圧と該第1の電圧より低くアドレスされた上記電極対の上記放電セルでの上記書込み放電を確実に発生させる第2の電圧との間の電圧の維持パルスを、アドレスされる上記電極対の維持電極に印加することによって与えられることを特徴としている。
【００５２】
請求項１５記載の発明は、請求項１４記載のプラズマディスプレイパネルの駆動装置に係り、上記第1の電圧及び上記第2の電圧は、上記放電セルの構成要素に従って異なる値になることを特徴としている。
【００５３】
請求項１６記載の発明は、請求項１０乃至１５のいずれか一に記載のプラズマディスプレイパネルの駆動装置に係り、上記書込み手段は、アドレスされる上記電極対の上記維持電極に印加される維持パルスの電圧を上記アドレスの順番に従って高める第１の手段と、アドレスされる上記電極対の上記走査電極に印加される走査パルスのパルス幅を上記アドレスの順番に従って広げる第２の手段とを備えて構成されることを特徴としている。
【００５４】
請求項１７記載の発明は、請求項１６記載のプラズマディスプレイパネルの駆動装置に係り、上記第１の手段によって、アドレスされる上記電極対の上記維持電極に印加される維持パルスの電圧を上記アドレスの順番に従って高める順番と、上記第２の手段によって、アドレスされる上記電極対の走査電極に印加される上記走査パルスのパルス幅を上記アドレスの順番に従って広げる順番とが同一又は異なることを特徴としている。
【００５５】
請求項１８記載の発明は、請求項１０至１７のいずれか一に記載のプラズマディスプレイパネルの駆動装置に係り、上記放電セルに上記書込み放電を生じさせる、上記１画面の上記映像信号の各走査線上の各画素信号は、上記１画面を構成する時間である１フレームが分割された複数のサブフィールドの各々のアドレス期間内に線順次で挿入されていることを特徴としている。
【発明の効果】
【００５６】
この発明によれば、走査電極及び維持電極の電極対毎に該電極対とデータ電極の各々との交差点が放電セル（以下、表示セルという）を構成するプラズマディスプレイパネルの各表示セルに、映像信号の各画素データをアドレス期間中に線順次で書き込むに際して、電極対毎に応じて、又は予め区分けされた複数の電極対グループに応じて異なる電圧値をもつ電圧パルスを当該電極対に印加して書込み放電を生じさせるようにした、すなわち、維持電圧を駆動マージンが小さくならないアドレス順位で変更しているから、表示セルに放電異常を発生し難い、すなわち、書込み放電が生ぜしめられるべきでない（選択されていない）表示セルで放電を生ぜしめてしまったり、書込み放電が生ぜしめられるべき（選択された）表示セルで放電が失敗してしまったりすることのないＡＣ型プラズマディスプレイパネルの駆動を行うことができる。
【００５７】
また、放電遅れ時間が長い表示セルに対して、放電遅れ時間が短い表示セルよりもパルス幅が広い走査パルスを走査電極に印加しているから、走査パルスの印加順序が遅い表示セルにおいて放電の失敗が発生してしまう確立を大きく低減させることができる。
【発明を実施するための最良の形態】
【００５８】
この発明の最良の形態は、走査電極と維持電極とからなる電極対が互いに平行に複数配設された第１の基板と、電極対と互いに直交するデータ電極が互いに平行に複数配設された第２の基板とを有し、電極対とデータ電極の交差点が画素たる放電セルを構成するプラズマディスプレイパネルにおいて、複数の電極対を線順次でアドレスし、アドレスされた電極対の放電セルに書込み放電を発生させ、該書込み放電を維持放電により持続させるプラズマディスプレイパネルにおいて、電極対毎に応じて、又は予め区分けされた複数の電極対グループに応じて異なる電圧値をもつ電圧パルスを当該電極対に印加させることによって構成される。
【００５９】
また、上記に加えて、放電遅れ時間が長い表示セルに対して、放電遅れ時間が短い表示セルよりもパルス幅が広い走査パルスを走査電極に印加させることにより構成される。
【実施例１】
【００６０】
図１は、この発明の実施例１であるＡＣ型プラズマディスプレイパネルの駆動装置の構成を示す図、図２は、ＡＣ型プラズマディスプレイパネルの駆動装置の維持ドライバの構成を示す図、図３は、同ＡＣ型プラズマディスプレイパネルの駆動装置におけるアドレス順に対する最大維持電圧及び最小維持電圧の関係を示す図、図４は、同ＡＣ型プラズマディスプレイパネルの駆動装置の駆動波形図、図５は、図４の駆動波形図の一部を拡大して実施例１の特徴部分を示す図、また、図６は、図３に維持電圧の設定例を追加した図である。
【００６１】
この実施例は、図３に示すように、サブフィールド内で各走査電極に走査パルスを印加する順番が遅いセル、すなわち、アドレス順番が遅くなるセルほど最大維持電圧Ｖｓｃｍａｘと最小維持電圧Ｖｓｃｍｉｎとが漸増するという事実を活用したものである。
最大維持電極電圧（以下、最大維持電圧という）Ｖｓｃｍａｘとは、この電圧値を超えた維持電極電圧（以下、維持電圧という）を維持電極に印加すると、印加電圧の過剰により、非選択セルでも放電が生じてしまう電圧を言い、最小維持電極電圧（以下、最小維持電圧という）Ｖｓｃｍｉｎとは、この電圧値未満の維持電圧を維持電極に印加しても、印加電圧の不足により、選択セルでも放電が失敗してしまう電圧を言う。
このことから、維持電圧としては、最大維持電圧Ｖｓｃｍａｘと最小維持電圧Ｖｓｃｍｉｎとの間の電圧に設定する必要がある。
【００６２】
図３から読み取れるように、最大維持電圧Ｖｓｃｍａｘ及び最小維持電圧Ｖｓｃｍｉｎ（図３ではＶｓｃｍａｘ／ｓｃｍｉｎと記す）は、いずれも、アドレス順序が早いほど低くなる傾向にある。これは、プライミング放電期間からの経過時間に依存している。すなわち、プライミング放電からの経過時間が短いほど、アドレス放電が発生する最適の維持電圧Ｖｓｃが低くなることを意味している。
上述したように、この実施例では今述べた関係を活用して、すなわち、アドレス順序の早い走査電極と対になる維持電極に印加される維持電圧Ｖｓｃを低く設定し、アドレス順序の遅い走査電極と対になる維持電極に印加される維持電圧Ｖｓｃを高く設定する。
これにより、プラズマディスプレイパネルの駆動を放電異常が発生し難い態様で行うことができる。
【００６３】
この実施例のＡＣ型プラズマディスプレイパネル１０の駆動装置１２は、互いに平行して配置された走査電極及び維持電極の複数の電極対（以下、単に対という）とこれら対の走査電極及び維持電極と交差して配置されたデータ電極の各々との各交差点に構成された表示セルから成る表示セルラインを有するプラズマディスプレイパネルの駆動において、サブフィールドのアドレス期間における維持電圧をアドレス順序が遅い走査電極と対になる維持電極ほど高く設定する装置に係り、図１に示すように、ＡＣ型プラズマディスプレイパネル１０の走査電極１４に接続される走査電極ドライバ１６と、維持電極１８に接続される維持電極ドライバ２０と、データ電極２２に接続されるデータドライバ２４とから概略構成されている。
なお、走査電極ドライバ１６、維持電極ドライバ２０及びデータドライバ２４は、映像処理部２６から受け取る映像信号に基づいて走査電極ドライバ１６、維持電極ドライバ２０及びデータドライバ２４に制御信号を送出する駆動コントローラ２８によって制御される。
【００６４】
走査電極ドライバ１６及びデータドライバ２４の構成は、〔背景技術〕の項で説明したところと同じである。また、駆動コントローラ２８による走査電極ドライバ１６及びデータドライバ２４の制御の仕方も、〔背景技術〕の項で説明したところと同じである。
【００６５】
維持電極ドライバ２０は、図１及び図２に示すように、第１副走査ドライバ３０、第２副走査ドライバ３２及び維持ドライバ３４から構成される。
第１副走査ドライバ３０はスイッチ３６を有し、スイッチ３６の一方の端子は電圧源３８に接続される一方、他方の端子はＡＣ型プラズマディスプレイパネル１０の維持電極Ｃｉの各々に接続されている。電圧源３８は電圧Ｖｓｃ１を出力する。
第２副走査ドライバ３２はスイッチ４０を有し、スイッチ４０の一方の端子は電圧源４２に接続される一方、他方の端子はＡＣ型プラズマディスプレイパネル１０の維持電極Ｃｉの各々に接続されている。電圧源４２は電圧Ｖｓｃ２を出力する。
【００６６】
電圧源３８が出力する維持電圧Ｖｓｃ１は、最大維持電圧Ｖｓｃｍａｘと最小維持電圧Ｖｓｃｍｉｎとの間の電圧として予め選定された電圧であり、電圧源４２が出力する維持電圧Ｖｓｃ２は、最大維持電圧Ｖｓｃｍａｘと最小維持電圧Ｖｓｃｍｉｎとの間に入る電圧であって、かつ、維持電圧Ｖｓｃ１より予め決められた値だけ高い電圧である。
【００６７】
維持ドライバ３４は、直列接続されたスイッチ４４及びスイッチ４６を有し、スイッチ４４の一方の端子とスイッチ４６の一方の端子との接続点はＡＣ型プラズマディスプレイパネル１０の維持電極Ｃｉの各々に接続されている。スイッチ４４の他方の端子は電圧源４８に接続され、スイッチ４６の他方の端子は大地電位ＧＮＤに接続されている。電圧源４８は電圧Ｖｓを出力する。
【００６８】
第１副走査ドライバ３０のスイッチ３６及び第２副走査ドライバ３２のスイッチ４０の駆動コントローラ２８によるオン／オフ制御の仕方は次の通りである。
すなわち、スイッチ３６は、ｍ本の走査電極を２分割した第１のグループの走査電極のうちの最初の走査電極Ｓ１への走査パルスの印加から最後の走査電極Ｓｉへの走査パルスの印加終了まで維持電極Ｃ１乃至維持電極Ｃｉへ維持電圧Ｖｓｃ１を給電するように、コントローラ２８によってオン／オフ制御され、スイッチ４０は、ｍ本の走査電極を２分割した第２のグループの走査電極のうちの最初の走査電極Ｓ（ｉ＋１）への走査パルスの印加から最後の走査電極Ｓｍへの走査パルスの印加終了まで維持電極（ｉ＋１）乃至維持電極Ｃｍへ維持電圧Ｖｓｃ２を給電するように、駆動コントローラ２８によってオン／オフ制御される。なお、上記各グループの対群を電極対グループという。
ここでの２分割の仕方は、維持電極に印加される維持電圧が放電異常を発生させてしまうか否か、すなわち、該維持電圧によって書込みが行われない非選択セルでは放電を生じさせてしまうが、書込みが行われる選択セルでは放電の失敗を生じさせてしまわない維持電圧にあるか、又はその逆の状態を生じさせてしまう維持電圧にあるか否かによる。
【００６９】
これを第１のグループのためのスイッチ３６について言えば、アドレス期間中の、スイッチ３６と対応付けられる走査電極の各々に走査パルスが印加し終わる期間（第１の期間という）の間、駆動コントローラ２８によってオンされ、それ以降の期間はスイッチ３６はオフにされるのに対して、スイッチ４０については上記第１の期間駆動コントローラ２８によってオフされ、上記第１の期間の終了時刻からアドレス期間の終了時刻までの期間（スイッチ４０と対応付けられる走査電極の各々に走査パルスが印加し終わる期間）の間、オンされる。
【００７０】
維持ドライバ３４のスイッチ４４は、前回のサブフィールドの電荷消去期間の開始時刻に駆動コントローラ２８によってオンされ、今回のサブフィールドのプライミング期間のプライミングパルスＰｐｒーｃの開始時刻にオフされる。
また、スイッチ４４は、今回のサブフィールドのプライミング期間内に走査電極に電圧Ｖｓが印加される上述第２の所定時間の開始時刻に駆動コントローラ２８によってオンされ、プライミング期間の終了時刻にオフされる。
また、スイッチ４４は、今回のサブフィールの維持期間内に維持電極に印加される正極性の維持パルスの開始時刻毎に駆動コントローラ２８によってオンされ、そして正極性の維持パルスの終了時刻毎にオフされる。
【００７１】
維持ドライバ３４のスイッチ４６は、前回のサブフィールドの電荷消去期間の開始時刻に駆動コントローラ２８によってオフされ、今回のサブフィールドのプライミング期間のプライミングパルスＰｐｒーｃの開始時刻にオンされる。
また、スイッチ４６は、今回のサブフィールドのプライミング期間内の上述第２の所定時間の開始時刻から今回のサブフィールドのアドレス期間の終了時刻まで駆動コントローラ２８によってオフされる。
また、スイッチ４６は、今回のサブフィールの維持期間内に維持電極に印加される負極性の維持パルスの開始時刻毎に駆動コントローラ２８によってオンされ、そして負極性の維持パルスの終了時刻毎にオフされる。
【００７２】
次に、図１乃至図６を参照して、この実施例の動作について説明する。
この実施例におけるプライミング期間、維持期間及び電荷消去期間でのＡＣ型プラズマディスプレイパネル１０の駆動は、〔背景技術〕の項で説明したところと同じである。この実施例でのＡＣ型プラズマディスプレイパネル１０の駆動は、アドレス期間中のＡＣ型プラズマディスプレイパネル１０の駆動に特徴がある。これについて以下説明する。
【００７３】
今回のサブフィールドにおいて、〔背景技術〕の項で説明したように、プライミング期間中に、各走査電極ＳｉにプライミングパルスＰｐｒ−ｓを印加すると同時に、各維持電極ＣｉにプライミングパルスＰｐｒ−ｃを印加して（図４の（１−１）乃至（１−ｍ）、（２））放電を発生させる。この放電により、また、各走査電極Ｓｉとこれと対になる維持電極Ｃｉの電極間ギャップ近傍の放電空間にプライミング放電が発生する。これにより、各表示セルがアドレスされたときに生ぜしめられる書込み放電の発生をし易くする活性粒子の生成が行われると同時に、各走査電極Ｓｉに負極性の壁電荷が、また、各維持電極Ｃｉに正極性の壁電荷が付着する。
上記プライミングパルスＰｐｒ−ｓ及びプライミングパルスＰｐｒ−ｃの印加に続いて、各走査電極Ｓｉへの電荷蓄積パルスＰｐｅ−ｓの印加及び各維持電極Ｃｉへの維持電圧Ｖｓの印加が行われて弱放電が発生されて各走査電極Ｓｉ上の負極性壁電荷及び各維持電極Ｃｉ上の正極性壁電荷が減少させられる。
【００７４】
各走査電極Ｓｉ上の負極性壁電荷及び各維持電極Ｃｉ上の正極性壁電荷が付着された状態で、アドレス期間に入ると、その開始時刻に第１副走査ドライバ３０のスイッチ３６が駆動コントローラ２８によってオンされて各維持電極Ｃｉに維持パルスＰｓｃ１−ｃが各維持電極Ｃｉに印加される。その維持パルスＰｓｃ１−ｃの電圧は、最大維持電圧Ｖｓｃｍａｘと最小維持電圧Ｖｓｃｍｉｎとの間で予め選定された維持電圧Ｖｓｃ１（図４及び図５の（２））とされる。
【００７５】
各維持電極Ｃｉに維持電圧Ｖｓｃ１が印加された状態において、第１グループに属する第１番目の走査電極Ｓ１から第ｉ番目の走査電極Ｓｉまで順次走査パルスが印加される（図５の（１−１）乃至（１−ｉ））。
この順次の印加において、データドライバ２４のいずれかのスイッチ１６３ｊが駆動コントローラ２８によってオフされると同時に、スイッチ１６３ｊに対応するスイッチ１６１ｊが駆動コントローラ２８によってオンされてデータパルスＰｄがデータ電極Ｄｊに印加される。
各維持電極Ｃｉに維持電圧Ｖｓｃ１が印加された状態において、走査電極Ｓ１から走査電極Ｓｉまでのいずれかの走査電極に走査パルスが印加されると同時に、データパルスＰｄがデータ電極Ｄｊに印加されて選択（アドレス）されたセルＳｉｊ（図１４）に書込み放電が生ぜしめられる。つまり、映像信号のｉ番目の走査線上のｊ番目の画素がＡＣ型プラズマディスプレイパネル１０のセルＳｉｊに書き込まれる。
【００７６】
第ｉ番目の走査電極への走査パルスの印加に続いて、第（ｉ＋１）番目の走査電極Ｓ（ｉ＋１）への走査パルスの印加開始時刻に、第１副走査ドライバ３０のスイッチ３６が、駆動コントローラ２８によってオフに転ぜられると同時に、第２副走査ドライバ３２のスイッチ４０が、駆動コントローラ２８によってオンされる。
これにより、各維持電極Ｃｉに印加される維持パルスＰｓｃ２−ｃの電圧は、維持電圧Ｖｓｃ１より予め決められた値だけ高いＶｓｃ２（図４及び図５の（２））へ切り換えられる。
なお、維持電圧ＶｓｃがＶｓｃ２へ切り換えられた場合のＡＣ型プラズマディスプレイパネル１０のセルＳｉｊへの書込み放電は、上記切り換えが行われる前と同様にして生ぜしめられる。
上記維持電極の切り換えにより、最大維持電圧Ｖｓｃｍａｘと維持電圧Ｖｓｃとの差（駆動マージン）も、また、維持電圧Ｖｓｃと最小維持電圧Ｖｓｃｍｉｎとの差（駆動マージン）も拡げることができ、放電異常が発生し難くなる。
【００７７】
上述したアドレス期間でのＡＣ型プラズマディスプレイパネル１０のセルへの書込み放電が行われて蓄積された壁電荷は、維持期間での維持放電に継受されて所要回数だけ放電が継続されて輝度制御が行われること、そして維持期間後の電荷消去期間において継続されている放電が消去されることは、〔背景技術〕の項で説明したところと同じである。
【００７８】
このように、この実施例によれば、維持電圧を駆動マージンが小さくならないアドレス順位で切り換えているから、表示セルに放電異常を発生し難い、すなわち、書込み放電が生ぜしめられるべきでない（選択されていない）表示セルで放電を生ぜしめてしまったり、書込み放電が生ぜしめられるべき（選択された）表示セルで放電が失敗してしまったりすることのないＡＣ型プラズマディスプレイパネルの駆動を行うことができる。
【実施例２】
【００７９】
図７は、この発明の実施例２であるＡＣ型プラズマディスプレイパネルの駆動装置の維持電極ドライバの構成を示す図、また、図８は、同ＡＣ型プラズマディスプレイパネルの駆動装置の駆動波形図である。
この実施例の構成が、実施例１のそれと大きく異なるところは、維持電圧を連続的に制御するようにした点である。
【００８０】
この実施例の駆動装置１２Ａ（図７には示さず）は、図２に示す駆動装置１０の維持電極ドライバ２０を図７に示す構成の維持電極ドライバ２０Ａにし、図２に示す駆動コントローラ２８を駆動コントローラ２８Ａにしたことにその特徴がある。
すなわち、維持電極ドライバ２０Ａは、第１副走査ドライバ３０、第２副走査ドライバ３２Ａ及び維持ドライバ３４から成る。第１副走査ドライバ３０及び維持ドライバ３４は第１実施例と同じである。
【００８１】
第２副走査ドライバ３２Ａは、スイッチ４０及びスイッチ４０の端子間に抵抗４３を介して並列に接続されたスイッチ４１から成る。スイッチ４０とスイッチ４１との接続点Ｃ３は第１実施例と同様電圧源４２に接続されている。スイッチ４０と抵抗４３との接続点Ｃ４はＡＣ型プラズマディスプレイパネル１０の各維持電極Ｃｉに接続されている。抵抗４３は、容量性素子を並列に接続することもある。
【００８２】
また、駆動コントローラ２８Ａが、アドレス期間中、図８に示す維持電極ドライバ２０Ａの各スイッチ３６、４０、４１に次のようなオン／オフ制御パルスを供給する。
アドレス期間の開始時刻にスイッチ３６をオンさせ、ｉ番目の走査パルスの開始時刻にオフさせるオン／オフ制御パルスをスイッチ３６に供給し、ｉ番目の走査パルスの開始時刻にスイッチ４１をオンさせ、（ｉ＋１）番目の走査パルスの終了時刻にオフさせるオン／オフ制御パルスをスイッチ４１に供給し、（ｉ＋１）番目の走査パルスの終了時刻にスイッチ４０をオンさせ、走査期間の終了時刻にオフさせるオン／オフ制御パルスをスイッチ４０に供給する。
この構成以外のこの実施例の構成は、実施例１と同じであるので、同一の構成部分には同一の参照符号を付して、その逐一の説明は省略する。
【００８３】
次に、図１、図４、図７及び図８を参照して、この実施例の動作について説明する。
この実施例におけるプライミング期間、維持期間及び電荷消去期間でのＡＣ型プラズマディスプレイパネル１０の駆動は、実施例１で説明したところと同じである。この実施例でのＡＣ型プラズマディスプレイパネル１０の駆動は、アドレス期間中のＡＣ型プラズマディスプレイパネル１０の駆動に特徴がある。これについて以下説明する。
【００８４】
今回のサブフィールドにおいて、そのプライミング期間中に、各走査電極ＳｉにプライミングパルスＰｐｒ−ｓが印加されると同時に、各維持電極ＣｉにプライミングパルスＰｐｒ−ｃが印加されて（図４の（１−１）乃至（１−ｍ）、（２））放電が発生され、また、各走査電極Ｓｉとこれと対になる維持電極Ｃｉの電極間ギャップ近傍の放電空間にプライミング放電が発生されて各走査電極Ｓｉに負極性の壁電荷が、また、各維持電極Ｃｉに正極性の壁電荷が付着さされること、上記プライミングパルスＰｐｒ−ｓ及びプライミングパルスＰｐｒ−ｃの印加に続いて、各走査電極Ｓｉへの電荷蓄積パルスＰｐｅ−ｓの印加及び各維持電極Ｃｉへの維持電圧Ｖｓの印加が行われて弱放電が発生されて各走査電極Ｓｉ上の負極性壁電荷及び各維持電極Ｃｉ上の正極性壁電荷が減少させられることは、実施例１で説明したところと同じである。
【００８５】
各走査電極Ｓｉ上の負極性壁電荷及び各維持電極Ｃｉ上の正極性壁電荷が付着された状態で、アドレス期間に入ると、その開始時刻に第１副走査ドライバ３０のスイッチ３６が駆動コントローラ２８Ａによってオンにされて各維持電極Ｃｉに印加される維持パルスＰｓｃ１−ｃの電圧は、最大維持電圧Ｖｓｃｍａｘと最小維持電圧Ｖｓｃｍｉｎとの間で予め選定された維持電圧Ｖｓｃ１（図８の（２））とされ、その維持パルスＶｓｃ１が各維持電極Ｃｉに印加される。
【００８６】
各維持電極Ｃｉに維持電圧Ｖｓｃ１が印加された状態において、第１グループに属する第１番目の走査電極Ｓ１から第ｉ番目の走査電極Ｓｉまで順次走査パルスが印加される（図８の（１−１）乃至（１−ｉ））。
この順次のアドレスにおいて、データドライバ２４のいずれかのスイッチ１６３ｊが駆動コントローラ２８Ａによってオフされると同時に、スイッチ１６３ｊに対応するスイッチ１６１ｊが駆動コントローラ２８ＡによってオンされてデータパルスＰｄがデータ電極Ｄｊに印加される。
各維持電極Ｃｉに維持電圧Ｖｓｃ１が印加された状態において、走査電極Ｓ１から走査電極Ｓｉまでのいずれかの走査電極に走査パルスが印加されると同時に、データパルスＰｄがデータ電極Ｄｊに印加されて選択（アドレス）されたセルＳｉｊに書込み放電が生ぜしめられる。つまり、映像信号のｉ番目の走査線上のｊ番目の画素がＡＣ型プラズマディスプレイパネル１０のセルＳｉｊに書き込まれる。
【００８７】
第ｉ番目の走査電極への走査パルスの印加開始時刻に、第１副走査ドライバ３０のスイッチ３６は、駆動コントローラ２８Ａによってオフに転ぜられると同時に、第２副走査ドライバ３２Ａのスイッチ４１が、駆動コントローラ２８Ａによってオンされる。
これにより、維持電極Ｃ（ｉ＋１）乃至維持電極Ｃｍに印加される維持パルスＰｓｃ２−ｃの電圧は、維持電圧Ｖｓｃ１より予め決められた値だけ高いＶｓｃ２（図３及び図４の（２））の方へ漸近する。その途中において走査電極ｉ＋１に走査パルスが印加され、ＡＣ型プラズマディスプレイパネル１０の表示セルＳ（ｉ＋１）ｊへの書込みが行われる。
それ以降において、走査電極ｉ＋２等に走査パルスが印加され、ＡＣ型プラズマディスプレイパネル１０の表示セルＳ（ｉ＋２）ｊ等への書込みが行われる。
【００８８】
なお、維持電圧がＶｓｃ２へ切り換えられた場合のＡＣ型プラズマディスプレイパネル１０の表示セルＳ（ｉ＋１）ｊ等への書込みは、上記切り換えが行われる前と同様にして生ぜしめられる。
上述の維持電圧の連続的な制御により、駆動マージンを確保し易く、これにより、放電異常がより発生し難くし得る。
【００８９】
上述したアドレス期間でのＡＣ型プラズマディスプレイパネル１０の表示セルへの書込み放電が行われて蓄積された壁電荷は、維持期間での維持放電に継受されて所要回数だけ放電が継続されて輝度制御が行われること、そして維持期間後の電荷消去期間において継続されている放電が消去されることは、実施例１で説明したところと同じである。
【００９０】
このように、この実施例によれば、維持電圧を駆動マージンが小さくならないアドレス順位で連続的に変えているから、表示セルに放電異常がより発生し難い。
【実施例３】
【００９１】
図９は、この発明の実施例３であるＡＣ型プラズマディスプレイパネルの駆動装置の構成を示す図、図１０は、同ＡＣ型プラズマディスプレイパネルの駆動装置の駆動波形図、また、図１１は、同ＡＣ型プラズマディスプレイパネルの駆動装置におけるアドレス順に対する放電遅れ時間及び走査パルスのパルス幅の関係を示す図である。
この実施例の構成が、実施例１のそれと大きく異なるところは、アドレス順に維持電圧の値を段階的に高めつつ、走査パルスの幅を広げるようにした点である。
【００９２】
すなわち、この実施例の駆動装置１２Ｂは、図９に示すように、駆動コントローラ２８Ｂを実施例１と異ならしめて構成したことに特徴がある。
駆動コントローラ２８Ｂが、アドレス期間中、図２に示す維持電極ドライバ２０Ａのスイッチ３６、４０並びに走査パルスドライバ１３１のスイッチ１４１ｉ、１４３ｉに次のようなオン／オフ制御パルスを供給するようにしたことにある。
【００９３】
１番目の走査パルスの開始時刻にスイッチ３６をオンさせ、ｉ番目の走査パルスの終了時刻、すなわち、（ｉ＋１）番目の走査パルスの開始時刻にオフさせるオン／オフ制御パルスをスイッチ３６に供給し、（ｉ＋１）番目の走査パルスの開始時刻にスイッチ４０をオンさせ、走査期間の終了時刻にオフさせるオン／オフ制御パルスをスイッチ４０に供給する。
【００９４】
また、走査パルスＰｓｃ−ｓｉ（図１０）を走査電極Ｓｉに印加させる印加期間以外の期間スイッチ１４１ｉをオンさせ、該印加期間スイッチ１４１ｉをオフさせるオン／オフ制御パルスをスイッチ１４１ｉに供給し、上記印加期間スイッチ１４３ｉをオンさせ、上記印加期間以外の期間スイッチ１４３ｉをオフさせるオン／オフ制御パルスをスイッチ１４３ｉに供給することは、実施例１及び実施例２と同じであるが、上記印加期間を１番目の走査電極Ｓ１からｉ番目の走査電極Ｓｉまでは第１の期間Ａにして１番目からｉ番目までの走査電極に印加される走査パルスの幅をＡにし、（ｉ＋１）番目の走査電極Ｓ（ｉ＋１）からｍ番目の走査電極Ｓｍまでは第２の期間Ｂとして（ｉ＋１）番目からｍ番目までの走査電極に印加される走査パルスの幅をＢにするオン／オフ制御パルスをスイッチ１４１ｉ及びスイッチ１４３ｉに供給する。
この構成以外のこの実施例の構成は、実施例１と同じであるので、同一の構成部分には同一の参照符号を付して、その逐一の説明は省略する。
【００９５】
次に、図９、図１０及び図１１を参照して、この実施例の動作について説明する。
この実施例におけるプライミング期間、維持期間及び電荷消去期間でのＡＣ型プラズマディスプレイパネル１０の駆動は、実施例１で説明したところと同じである。この実施例でのＡＣ型プラズマディスプレイパネル１０の駆動は、アドレス期間中のＡＣ型プラズマディスプレイパネル１０の駆動に特徴がある。これについて以下説明する。
【００９６】
今回のサブフィールドにおいて、実施例１で説明したように、プライミング期間における各走査電極ＳｉへのプライミングパルスＰｐｒ−ｓの印加と同時の、各維持電極ＣｉへのプライミングパルスＰｐｒ−ｃの印加（図４の（１−１）乃至（１−ｍ）、（２））により放電が発生され、この放電により、また、各走査電極Ｓｉとこれと対になる維持電極Ｃｉの電極間ギャップ近傍の放電空間にプライミング放電が発生する。これにより、各表示セルでアドレスされたときに生ぜしめられる書込み放電の発生をし易くする活性粒子の生成が行われると同時に、各走査電極Ｓｉに負極性の壁電荷が、また、各維持電極Ｃｉに正極性の壁電荷が付着する。
上記プライミングパルスＰｐｒ−ｓ及びプライミングパルスＰｐｒ−ｃの印加に続いて、各走査電極Ｓｉへの電荷蓄積パルスＰｐｅ−ｓの印加及び各維持電極Ｃｉへの維持電圧Ｖｓの印加が行われて弱放電が発生されて各走査電極Ｓｉ上の負極性壁電荷及び各維持電極Ｃｉ上の正極性壁電荷が減少させられる。
【００９７】
各走査電極Ｓｉ上の負極性壁電荷及び各維持電極Ｃｉ上の正極性壁電荷が付着された状態で、アドレス期間に入ると、その開始時刻に第１副走査ドライバ３０のスイッチ３６が駆動コントローラ２８Ｂによってオンにされて各維持電極Ｃｉに維持パルスＶｓｃ１が印加される。
【００９８】
各維持電極Ｃｉに維持電圧Ｖｓｃ１が印加された状態において、駆動コントローラ２８Ｂによりパルス幅Ａに相当する期間だけスイッチ１４１ｉのオフと、スイッチ１４３ｉのオンとを順次行うと共に、該期間以外のアドレス期間スイッチ１４１ｉのオンと、スイッチ１４３ｉのオフとを順次行うことによって、パルス幅Ａの走査パルスが、順次、第１グループに属する第１番目の走査電極Ｓ１から第ｉ番目の走査電極Ｓｉまで印加される（図１０の（１−１）乃至（１−ｉ））。
【００９９】
この順次の印加において、データドライバ２４のスイッチ１６３ｊのオフと、スイッチ１６３ｊに対応するスイッチ１６１ｊのオンとを駆動コントローラ２８Ｂによって順次行うことによりデータパルスＰｄがデータ電極Ｄｊに印加される。
【０１００】
各維持電極Ｃｉに維持電圧Ｖｓｃ１が印加された状態において、走査電極Ｓ１から走査電極Ｓｉまでの走査電極に走査パルスが順次印加されると同時に、データパルスＰｄがデータ電極Ｄｊに印加されて選択（アドレス）されたセルＳｉｊ（図１４）に書込み放電が生ぜしめられる。つまり、映像信号のｉ番目の走査線上のｊ番目の画素がＡＣ型プラズマディスプレイパネル１２のセルＳｉｊに書き込まれる。
【０１０１】
第ｉ番目の走査電極への走査パルスの印加開始時刻に、第１副走査ドライバ３０のスイッチ３６（図２）が、駆動コントローラ２８Ｂによってオフに転ぜられると同時に、第２副走査ドライバ３２Ｂのスイッチ４０（図２）が、駆動コントローラ２８Ｂによってオンされる。
これにより、各維持電極Ｃｉに印加される維持パルスＰｓｃ２−ｃの電圧は、維持電圧Ｖｓｃ１より予め決められた値だけ高いＶｓｃ２（図１０の（２））へ切り換えられる。
【０１０２】
この維持電圧の変更と同時に、駆動コントローラ２８Ｂによってスイッチ１４１ｉ及びスイッチ１４３ｉをオン／オフする時間が変更される。
すなわち、スイッチ１４１ｉをオフさせ、かつ、スイッチ１４３ｉをオンさせるパルス印加時間をパルス幅Ａに相当する時間からパルス幅Ｂに相当する時間に切り換え、該パルス印加時間以外のアドレス期間スイッチ１４１ｉをオンさせ、かつ、スイッチ１４３ｉをオフさせる。
なお、維持電圧ＶｓｃがＶｓｃ２へ切り換えられた場合のＡＣ型プラズマディスプレイパネル１０のセルＳｉｊへの書込み放電は、上記切り換えが行われる前と同様に、して生ぜしめられる。
【０１０３】
上記維持電極の切り換えにより、最大維持電圧Ｖｓｃｍａｘと維持電圧Ｖｓｃとの差（駆動マージン）も、また、維持電圧Ｖｓｃと最小維持電圧Ｖｓｃｍｉｎとの差（駆動マージン）も拡げることができ、放電異常が発生し難くなる。
また、走査パルスのパルス幅の切り換えにより、図１１に示すように、放電遅れ時間が長い表示セル（すなわち、走査パルスの印加順序が遅い表示セル）に対して、放電遅れ時間が短い表示セル（すなわち、走査パルスの印加順序が早い表示セル）よりもパルス幅が広い走査パルスを走査電極に印加することができるから、走査パルスの印加順序が遅い表示セルにおいて放電の失敗が発生してしまう確立を大きく低減させることができる。
【０１０４】
上述したアドレス期間でのＡＣ型プラズマディスプレイパネル１０のセルへの書込み放電が行われて蓄積された壁電荷は、維持期間での維持放電に継受されて所要回数だけ放電が継続されて輝度制御が行われること、そして維持期間後の電荷消去期間において継続されている放電が消去されることは、実施例１で説明したところと同じである。
【０１０５】
このように、この実施例によれば、維持電圧を駆動マージンが小さくならないアドレス順位で維持電圧を、最大維持電圧と最小維持電圧との間の電圧であって、かつ、走査パルスが早めに印加される前記走査電極と対になる前記維持電極に印加される維持電圧より高い維持電圧に変えているから、表示セルに放電異常が発生し難くなることに加えて、放電遅れ時間が長い表示セルに対して、放電遅れ時間が短い表示セルよりもパルス幅が広い走査パルスを走査電極に印加しているから、走査パルスの印加順序が遅い表示セルにおいて放電の失敗が発生してしまう確立を大きく低減させることができる。
【実施例４】
【０１０６】
図１２は、この発明の実施例４であるＡＣ型プラズマディスプレイパネルの駆動装置の構成を示す図である。
この実施例の構成が、実施例３のそれと大きく異なるところは、アドレス順に維持電圧の値を連続的に変えつつ、走査パルスの幅を広げるようにした点である。
【０１０７】
この実施例の駆動装置１２Ｃは、図１２に示すように、駆動コントローラ２８Ｃを実施例３と異ならしめて構成したことに特徴がある。
すなわち、駆動コントローラ２８Ｃが、アドレス期間中、図８に示す維持電極ドライバ２０Ａの各スイッチ３６、４０、４１並びに走査パルスドライバ１３１のスイッチ１４１ｉ、スイッチ１４３ｉに次のようなオン／オフ制御パルスを供給するようにしたことにある。
【０１０８】
アドレス期間の開始時刻にスイッチ３６をオンさせ、ｉ番目の走査パルスの開始時刻にオフさせるオン／オフ制御パルスをスイッチ３６に供給し、ｉ番目の走査パルスの開始時刻にスイッチ４１をオンさせ、（ｉ＋１）番目の走査パルスの終了時刻にオフさせるオン／オフ制御パルスをスイッチ４１に供給し、（ｉ＋１）番目の走査パルスの終了時刻にスイッチ４０をオンさせ、走査期間の終了時刻にオフさせるオン／オフ制御パルスをスイッチ４０に供給する。
【０１０９】
また、走査パルスＰｓｃ−ｓｉ（図１０）を走査電極Ｓｉに印加させる印加期間以外の期間スイッチ１４１ｉをオンさせ、該印加期間スイッチ１４１ｉをオフさせるオン／オフ制御パルスをスイッチ１４１ｉに供給し、上記印加期間スイッチ１４３ｉをオンさせ、上記印加期間以外の期間スイッチ１４３ｉをオフさせるオン／オフ制御パルスをスイッチ１４３ｉに供給することは、実施例３と同じであるが、上記印加期間を１番目の走査電極Ｓ１からｉ番目の走査電極Ｓｉまでは第１の期間Ａとして１番目からｉ番目までの走査電極に印加される走査パルスの幅をＡにし、（ｉ＋１）番目の走査電極Ｓ（ｉ＋１）からｍ番目の走査電極Ｓｍまでは第２の期間Ｂとして（ｉ＋１）番目からｍ番目までの走査電極に印加される走査パルスの幅をＢにするオン／オフ制御パルスをスイッチ１４１ｉ及びスイッチ１４３ｉに供給する。
この構成以外のこの実施例の構成は、実施例３と同じであるので、同一の構成部分には同一の参照符号を付して、その逐一の説明は省略する。
【０１１０】
次に、図１２を参照して、この実施例の動作について説明する。
この実施例におけるプライミング期間、維持期間及び電荷消去期間でのＡＣ型プラズマディスプレイパネル１０の駆動は、実施例３で説明したところと同じである。この実施例でのＡＣ型プラズマディスプレイパネル１０の駆動は、アドレス期間中のＡＣ型プラズマディスプレイパネル１０の駆動に特徴がある。これについて以下説明する。
【０１１１】
今回のサブフィールドにおいて、実施例３で説明したように、プライミング期間における各走査電極ＳｉへのプライミングパルスＰｐｒ−ｓの印加と同時の、各維持電極ＣｉへのプライミングパルスＰｐｒ−ｃの印加（図４の（１−１）乃至（１−ｍ）、（２））により放電が発生され、この放電により、また、各走査電極Ｓｉとこれと対になる維持電極Ｃｉの電極間ギャップ近傍の放電空間にプライミング放電が発生する。これにより、各セルでアドレスされたときに生ぜしめられる書込み放電の発生をし易くする活性粒子の生成が行われると同時に、各走査電極Ｓｉに負極性の壁電荷が、また、各維持電極Ｃｉに正極性の壁電荷が付着する。
上記プライミングパルスＰｐｒ−ｓ及びプライミングパルスＰｐｒ−ｃの印加に続いて、各走査電極Ｓｉへの電荷蓄積パルスＰｐｅ−ｓの印加及び各維持電極Ｃｉへの維持電圧Ｖｓの印加が行われて弱放電が発生されて各走査電極Ｓｉ上の負極性壁電荷及び各維持電極Ｃｉ上の正極性壁電荷が減少させられる。
【０１１２】
各走査電極Ｓｉ上の負極性壁電荷及び各維持電極Ｃｉ上の正極性壁電荷が付着された状態で、アドレス期間に入ると、その開始時刻に第１副走査ドライバ３０のスイッチ３６が駆動コントローラ２８Ｃによってオンにされて各維持電極Ｃｉに維持パルスＶｓｃ１が印加される。
【０１１３】
各維持電極Ｃｉに維持電圧Ｖｓｃ１が印加された状態において、駆動コントローラ２８Ｃによりパルス幅Ａに相当する時間だけスイッチ１４１ｉのオフと、スイッチ１４３ｉのオンとを順次行うことによって、パルス幅Ａの走査パルスが、順次、第１グループに属する第１番目の走査電極Ｓ１から第ｉ番目の走査電極Ｓｉまで印加される（図１０の（１−１）乃至（１−ｉ））。
【０１１４】
この順次の印加において、データドライバ２４のスイッチ１６３ｊのオフと、スイッチ１６３ｊに対応するスイッチ１６１ｊのオンとを駆動コントローラ２８Ｃによって順次行うことにより、データパルスＰｄがデータ電極Ｄｊに印加される。
各維持電極Ｃｉに維持電圧Ｖｓｃ１が印加された状態において、走査電極Ｓ１から走査電極Ｓｉまでの走査電極に走査パルスが順次印加されると同時に、データパルスＰｄがデータ電極Ｄｊに印加されて選択（アドレス）されたセルＳｉｊ（図１４）に書込み放電が生ぜしめられる。つまり、映像信号のｉ番目の走査線上のｊ番目の画素がＡＣ型プラズマディスプレイパネル１０のセルＳｉｊに書き込まれる。
【０１１５】
第ｉ番目の走査電極への走査パルスの印加開始時刻に、第１副走査ドライバ３０のスイッチ３６（図７）が、駆動コントローラ２８Ｃによってオフに転ぜられると同時に、第ｉ番目の走査電極への走査パルスの印加開始時刻に第２副走査ドライバ３２Ａのスイッチ４１が駆動コントローラ２８Ｃによってオンされる。
これにより、維持電極Ｃ（ｉ＋１）〜Ｃｍに印加される維持パルスの電圧は、維持電圧Ｖｓｃ１より予め決められた値だけ高いＶｓｃ２（図８の（２））の方へ漸近する。そして、（ｉ＋１）番目の走査パルスの終了時刻にスイッチ４１が駆動コントローラ２８Ａによってオフされ、スイッチ４０がオンされて維持電圧Ｖｓｃ２となる。
【０１１６】
この維持電圧の変更と同時に、駆動コントローラ２８Ｃによってスイッチ１４１ｉ及びスイッチ１４３ｉをオン／オフする時間が変更される。
すなわち、スイッチ１４１ｉのオフと、スイッチ１４３ｉのオンとを順次行うことにより、パルス印加時間をパルス幅Ａに相当する時間からパルス幅Ｂに相当する時間に切り換え、該パルス印加時間以外のアドレス期間スイッチ１４１ｉのオンと、スイッチ１４３ｉのオフとを順次生じさせる。
なお、維持電圧ＶｓｃがＶｓｃ２へ切り換えられた場合のＡＣ型プラズマディスプレイパネル１０のセルＳｉｊへの書込み放電は、上記切り換えが行われる前と同様に、して生ぜしめられる。
【０１１７】
上記維持電圧の連続的な制御により、最大維持電圧Ｖｓｃｍａｘと維持電圧Ｖｓｃとの差（駆動マージン）も、また、維持電圧Ｖｓｃと最小維持電圧Ｖｓｃｍｉｎとの差（駆動マージン）も拡げることができ、放電異常が発生し難くなる。
また、走査パルスのパルス幅の切り換えにより、図１１に示すように、放電遅れ時間が長い表示セル、すなわち、走査パルスの印加順序が遅い表示セルに対して、放電遅れ時間が短い表示セル、すなわち、走査パルスの印加順序が早い表示セルよりもパルス幅が広い走査パルスを走査電極に印加することができるから、走査パルスの印加順序が遅い表示セルにおいて放電の失敗が発生してしまう確立を大きく低減させることができる。
【０１１８】
上述したアドレス期間でのＡＣ型プラズマディスプレイパネル１０の表示セルへの書込み放電が行われて蓄積された壁電荷は、維持期間での維持放電に継受されて所要回数だけ放電が継続されて輝度制御が行われること、そして維持期間後の電荷消去期間において継続されている放電が消去されることは、実施例３で説明したところと同じである。
【０１１９】
このように、この実施例によれば、維持電圧を駆動マージンが小さくならないアドレス順位で維持電圧を、最大維持電圧と最小維持電圧Ｖとの間の電圧であって、かつ、走査パルスが早めに印加される前記走査電極と対になる前記維持電極に印加される維持電圧より高い維持電圧に連続的に変えているから、表示セルに放電異常がより発生し難くなることに加えて、放電遅れ時間が長い表示セルに対して、放電遅れ時間が短い表示セルよりもパルス幅が広い走査パルスを走査電極に印加しているから、走査パルスの印加順序が遅い表示セルにおいて放電の失敗が発生してしまう確立を大きく低減させることができる。
【産業上の利用可能性】
【０１２０】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記各実施例における最大維持電圧及び最小維持電圧は、表示セルを構成する要素、すなわち、走査電極、維持電極及びデータ電極の寸法、材質、電極間の間隔、誘電膜や、放電ガス空間に封入されるガスの種類、ガス圧等によって異なった値となる。
また、表示セルへの書込みは、維持電圧を維持電極に印加した状態において、走査電極に走査パルスを印加すると同時にデータ電極にデータパルスを印加する駆動方式であればよく、必ずしもサブフィールドのアドレス期間に表示セルへの書込みを行う必要はない。
【０１２１】
また、上記各実施例に説明した走査電極のグループ数は、３以上の任意の数にすることは可能であり、駆動マージンを精度良く制御でき、より放電異常が発生し難くすることができる。
また、グループ間の維持電圧の連続的な変更制御は、鋸歯状波、鈍り波等であってもよい。
また、アドレス順、走査パルスの印加が遅いほど維持電圧を高くすることと、走査パルスのパルス幅を広くすることとの組み合わせは、上記実施例３及び実施例４のようにアドレス順位を一致させる必要は、必ずしもなく、どちらか一方が早くてもよい。
【図面の簡単な説明】
【０１２２】
【図１】この発明の実施例１であるＡＣ型プラズマディスプレイパネルの駆動装置の構成を示す図である。
【図２】ＡＣ型プラズマディスプレイパネルの駆動装置の維持ドライバの構成を示す図である。
【図３】同ＡＣ型プラズマディスプレイパネルの駆動装置におけるアドレス順に対する最大維持電圧及び最小維持電圧の関係を示す図である。
【図４】同ＡＣ型プラズマディスプレイパネルの駆動装置の駆動波形図である。
【図５】図４の駆動波形図の一部を拡大して実施例１の特徴部分を示す図である。
【図６】図３に維持電圧Ｖｓｃの設定例を追加した図である。
【図７】この発明の実施例２であるＡＣ型プラズマディスプレイパネルの駆動装置の維持電極ドライバの構成を示す図である。
【図８】同ＡＣ型プラズマディスプレイパネルの駆動装置の駆動波形図である。
【図９】この発明の実施例３であるＡＣ型プラズマディスプレイパネルの駆動装置の構成を示す図である。
【図１０】同ＡＣ型プラズマディスプレイパネルの駆動装置の駆動波形図である。
【図１１】同ＡＣ型プラズマディスプレイパネルの駆動装置におけるアドレス順に対する放電遅れ時間及び走査パルスのパルス幅の関係を示す図である。
【図１２】この発明の実施例４であるＡＣ型プラズマディスプレイパネルの駆動装置の構成を示す図である。
【図１３】従来のＡＣ型プラズマディスプレイパネルの表示セルの斜視図である。
【図１４】従来のＡＣ型プラズマディスプレイパネルの各電極の配置を模式的に示した図である。
【図１５】従来のＡＣ型プラズマディスプレイパネルの駆動装置の構成を示す図である。
【図１６】従来のＡＣ型プラズマディスプレイパネルの駆動装置の走査電極ドライバの構成を示す図である。
【図１７】従来のＡＣ型プラズマディスプレイパネルの駆動装置の維持電極ドライバの構成を示す図である。
【図１８】従来のＡＣ型プラズマディスプレイパネルの駆動装置のデータドライバの構成を示す図である。
【図１９】従来のＡＣ型プラズマディスプレイパネルの駆動装置の駆動波形を示す図である。
【符号の説明】
【０１２３】
１０      プラズマディスプレイパネル
１２      駆動装置
２８、２８Ａ、２８Ｂ、２８Ｃ      駆動ドライバ（書込み手段の一部）
３０      第１副維持ドライバ（書込み手段の一部）
３２、３２Ａ      第２副維持ドライバ（書込み手段の一部）
３４      維持ドライバ（放電維持手段の一部）
１３１      走査パルスドライバ（書込み手段の一部）
１３４      走査ベースドライバ（書込み手段の一部）
１３５      走査電圧ドライバ（書込み手段の残部）
１３６      維持ドライバ（放電維持手段の残部）
【図１】
2005115009.tif 000003
【図２】
2005115009.tif 000004
【図３】
2005115009.tif 000005
【図４】
2005115009.tif 000006
【図５】
2005115009.tif 000007
【図６】
2005115009.tif 000008
【図７】
2005115009.tif 000009
【図８】
2005115009.tif 000010
【図９】
2005115009.tif 000011
【図１０】
2005115009.tif 000012
【図１１】
2005115009.tif 000013
【図１２】
2005115009.tif 000014
【図１３】
2005115009.tif 000015
【図１４】
2005115009.tif 000016
【図１５】
2005115009.tif 000017
【図１６】
2005115009.tif 000018
【図１７】
2005115009.tif 000019
【図１８】
2005115009.tif 000020
【図１９】
2005115009.tif 000021